(57)【要約】【課題】燃料電池システム及びその制御方法を提供する。【解決手段】燃料電池スタックを含む燃料電池システムの制御方法は、前記燃料電池スタックの制御温度を設定し、前記燃料電池システムの環境温度及び前記燃料電池スタックの動作温度と検出し、前記燃料電池スタックの出力電圧及び出力電流に基づいて、前記燃料電池スタックの現在の発熱量を計算し、前記環境温度、前記動作温度、及び前記現在の発熱量に基づいて、熱抵抗値を計算し、前記制御温度、前記環境温度、及び前記熱抵抗値に基づいて、前記燃料電池スタックの許容発熱量を設定し、前記現在の発熱量が前記許容発熱量よりも小さく、且つ前記動作温度が前記制御温度よりも小さいときに、前記現在の発熱量を上げ、及び前記現在の発熱量が前記許容発熱量よりも大きく、又は前記動作温度が前記制御温度よりも大きいときに、前記現在の発熱量を下げるステップを含む。【選択図】図４
2012160442.tif 000002
【特許請求の範囲】
【請求項１】
燃料電池システムの制御方法であって、前記燃料システムは、燃料電池スタックを含み、前記方法は、
前記燃料電池スタックの制御温度を設定し、
前記燃料電池システムの環境温度及び前記燃料電池スタックの動作温度と検出し、
前記燃料電池スタックの出力電圧及び出力電流に基づいて、前記燃料電池スタックの現在の発熱量を計算し、
前記環境温度、前記動作温度、及び前記現在の発熱量に基づいて、熱抵抗値を計算し、
前記制御温度、前記環境温度、及び前記熱抵抗値に基づいて、前記燃料電池スタックの許容発熱量を設定し、
前記現在の発熱量が前記許容発熱量よりも小さく、且つ前記動作温度が前記制御温度よりも小さいときに、前記現在の発熱量を上げ、及び
前記現在の発熱量が前記許容発熱量よりも大きく、又は前記動作温度が前記制御温度よりも大きいときに、前記現在の発熱量を下げるステップを含む、燃料電池システムの制御方法。
【請求項２】
前記環境温度はＴａであり、前記動作温度はＴｓであり、前記現在の発熱量はＥｇｅｎであり、前記熱抵抗値はＲであるとすると、前記熱抵抗値Ｒは、
（外６）
2012160442.tif 000008
に等しく、前記許容発熱量は、
（外７）
2012160442.tif 000009
に等しい、請求項１に記載の燃料電池システムの制御方法。
【請求項３】
前記出力電圧又は出力電流を調整することにより、前記現在の発熱量を上げる又は下げる、請求項１に記載の燃料電池システムの制御方法。
【請求項４】
前記燃料電池スタックは、プロトン交換膜燃料電池（Ｐｒｏｔｏｎ  Ｅｘｃｈａｎｇｅ  Ｍｅｍｂｒａｎｅ  Ｆｕｅｌ  Ｃｅｌｌ：ＰＥＭＦＣ）スタックである、請求項１に記載の燃料電池システムの制御方法。
【請求項５】
燃料電池システムであって、
化学反応を行って電気エネルギーを生成するための燃料電池スタックと、
前記燃料電池スタックの動作温度を検出するための第一温度センサと、
環境温度を検出するための第二温度センサと、
前記燃料電池スタックの出力電圧及び出力電流を検出するための電圧電流検出ユニットと、
前記第一温度センサ、前記第二温度センサ、及び前記電圧電流検出ユニットに電気接続される処理器であって、前記処理器は、前記出力電圧及び前記出力電流に基づいて、前記燃料電池スタックの現在の発熱量を計算し、前記処理器は、前記環境温度、前記動作温度、及び前記現在の発熱量に基づいて、前記燃料電池スタックの熱抵抗値を計算し、且つ前記処理器は、前記制御温度、前記環境温度、及び前記熱抵抗値に基づいて、前記燃料電池スタックの許容発熱量を設定し、且つ前記処理器は、前記現在の発熱量、前記許容発熱量、前記動作温度、及び前記制御温度に基づいて前記現在の発熱量を調整する処理器と、
を含む、燃料電池システム。
【請求項６】
転換器を更に含み、
前記転換器は、前記燃料電池スタック及び前記処理器に電気接続され、前記燃料電池スタックの前記出力電圧又は出力電流を転換するために用いられる、請求項５に記載の燃料電池システム。
【請求項７】
前記処理器は前記転換器を制御して前記現在の発熱量を調整する、請求項６に記載の燃料電池システム。
【請求項８】
前記環境温度はＴａであり、前記動作温度はＴｓであり、前記現在の発熱量はＥｇｅｎであり、前記熱抵抗値はＲであるとすると、前記熱抵抗値Ｒは、
（外８）
2012160442.tif 000010
に等しく、前記許容発熱量は、
（外９）
2012160442.tif 000011
に等しい、請求項５に記載の燃料電池システム。
【請求項９】
前記燃料電池スタックは、プロトン交換膜燃料電池（Ｐｒｏｔｏｎ  Ｅｘｃｈａｎｇｅ  Ｍｅｍｂｒａｎｅ  Ｆｕｅｌ  Ｃｅｌｌ：ＰＥＭＦＣ）スタックである、請求項５に記載の燃料電池システム。
【発明の詳細な説明】
【技術分野】
【０００１】
本発明は、燃料電池システム及びその制御方法に関し、特に、温度保護機構を有する燃料電池システム及びその制御方法に関する。
【背景技術】
【０００２】
エネルギーの開発及び応用が今までずっと人類の生活にとって必要不可欠な条件であるが、エネルギーの開発及び応用による環境への破壊が日増しに増えている。燃料電池（Ｆｕｅｌ  Ｃｅｌｌ）技術を利用してエネルギーを生成することは、高効率、低騒音、無汚染などの利点を有し、時勢に合致するエンルギー技術である。燃料電池は様々なタイプを有し、そのうち、よくあるのは、プロトン交換膜燃料電池（Ｐｒｏｔｏｎ  Ｅｘｃｈａｎｇｅ  Ｍｅｍｂｒａｎｅ  Ｆｕｅｌ  Ｃｅｌｌ：ＰＥＭＦＣ）である。また、燃料電池システムでは、燃料電池スタックの動作温度が主要な性能指標の一つである。
【０００３】
携帯式燃料電池が最近の新規の燃料電池の応用の一つであり、燃料電池の微小化の過程においては、必要のない補助装置、例えば、放熱用ファンが簡素化のためにシステムから外されることがある。放熱用装置のない燃料電池システムでは、温度の制御が更に重要及び困難になる。
【０００４】
図１は、燃料電池スタックが異なる作動温度の下での電池電圧及び電流密度の関係図である。図１を参照する。研究データによれば、燃料電池スタックの動作温度が高ければ高いほど、同じ電流密度の下で出力電圧が比較的大きいことは、性能が比較的良いことを表す。なぜなら、比較的高い温度は、電気化学反応及びプロトンがプロトン交換膜（Ｐｒｏｔｏｎ  Ｅｘｃｈａｎｇｅ  Ｍｅｍｂｒａｎｅ）における伝達速度を助けることができるからである。しかし、燃料電池スタックの動作温度を無制限に上げることができない。なぜなら、動作温度が高すぎると、プロトン交換膜の材料が高すぎる温度に耐えられず、損傷が生じ、燃料電池の使用寿命が大幅に短くなるからである。
【０００５】
図２は、従来の燃料電池システムが温度制御を行うときのフローチャートである。図２を参照する。まず、燃料電池スタックの温度を取得し（ステップＳ２１０）、この温度が保護温度よりも大きいかを判断する（ステップＳ２２０）。燃料電池スタックの温度が保護温度よりも大きいときに、燃料電池が生成した熱が多すぎることを表し、燃料電池の出力パワーを下げ（ステップＳ２３０）、温度を下げることができる。燃料電池スタックの温度が保護温度よりも小さいときに、燃料電池が生成した熱が許容範囲内にあることを表し、燃料電池の出力パワーを上げることができる（ステップＳ２４０）。しかし、このような制御方式は、燃料電池スタックの温度が保護温度よりも大きいかだけを判断し、燃料電池システムの温度が過剰に上下振動して不安定になることを容易に来す。
【０００６】
また、特許文献１には、温度補償制御機能を有する電源供給装置が開示されている。そのうち、外部電源から負荷に電力を供給すること、又は、外部電源から電池に対して充電することが選択的に選ばれる。また、その出力電圧に高低制限値が設定され、温度が所定の温度よりも低いと検出したときに、出力電圧の許容値が高い制限値であり、温度が所定の温度よりも高いと検出したときに、出力電圧の最高許容値が、検出した温度と所定の温度との差の増加につれて次第に下がるが、設定された低い制限値よりも依然として高い。また、特許文献２には、電源システムの制御方法が開示されている。また、特許文献３には、燃料電池システムの調節及び温度制御方法が開示されている。さらに、特許文献４には、燃料電池システムのパワー制御方法及びシステムが開示されている。
【先行技術文献】
【特許文献】
【０００７】
【特許文献１】台湾特開第２０１０／２５７９０号
【特許文献２】台湾特開第２００７／３３４６５号
【特許文献３】米国特開第２００５／００６９７４０号
【特許文献４】米国特許第６８８１５０９号
【発明の概要】
【発明が解決しようとする課題】
【０００８】
本発明は、燃料電池システムの制御方法を提供し、この燃料電池システムの制御方法は、環境温度、燃料電池スタックの制御温度、及び燃料電池スタックの熱抵抗値に基づいて燃料電池スタックの許容発熱量を設定し、これにより、温度が過剰に上下振動するのを避けることができる。
【０００９】
本発明は、燃料電池システムを提供し、この燃料電池システムは、環境温度、燃料電池スタックの制御温度、及び燃料電池スタックの熱抵抗値に基づいて燃料電池スタックの許容発熱量を設定し、これにより、放熱用装置がなくても燃料電池スタックの温度を制御することができる。
【００１０】
本発明の他の目的と利点については、本発明に開示される技術的特徴から更なる理解を得ることができる。
【課題を解決するための手段】
【００１１】
上述の一又は部分或いは全部の目的若しくは他の目的を達成するために、本発明の一実施例によれば、燃料電池システムの制御方法が提供される。この燃料電池システムの制御方法は、燃料電池スタックの制御温度を設定し、及び、燃料電池システムの環境温度及び燃料電池スタックの動作温度を検出するステップを含む。上述の方法は、更に、燃料電池スタックの出力電圧及び出力電流に基づいて、燃料電池スタックの現在の発熱量を計算するステップを含む。上述の方法は、更に、環境温度、動作温度、及び現在の発熱量に基づいて、燃料電池スタックの熱抵抗値を計算するステップを含む。上述の方法は、更に、制御温度、環境温度、及び熱抵抗値に基づいて、燃料電池スタックの許容発熱量を設定するステップを含む。上述の方法は、更に、現在の発熱量が許容発熱量よりも小さく、且つ動作温度が制御温度よりも小さいときに、現在の発熱量を上げ、現在の発熱量が許容発熱量よりも大きい、又は、動作温度が制御温度よりも大きいときに、現在の発熱量を下げるステップを含む。
【００１２】
本発明の一実施例によれば、燃料電池システムが提供される。この燃料電池システムは、燃料電池スタック、第一温度センサ、第二温度センサ、電圧電流検出ユニット、及び処理器を含む。燃料電池スタックは、化学反応を行って電気エネルギーを出力するために用いられる。第一温度センサは、燃料電池スタックの動作温度を検出するために用いられる。第二温度センサは、環境温度を検出するために用いられる。電圧電流検出ユニットは、燃料電池スタックの出力電圧及び出力電流を検出するために用いられる。処理器は、第一温度センサ、第二温度センサ、及び電圧電流検出ユニットに電気接続される。処理器は、燃料電池スタックの出力電圧及び出力電流に基づいて、燃料電池スタックの現在の発熱量を計算する。処理器は、環境温度、動作温度、及び現在の発熱量に基づいて、燃料電池スタックの熱抵抗値を計算する。処理器は、制御温度、環境温度、及び熱抵抗値に基づいて、燃料電池スタックの許容発熱量を設定する。処理器は、所定の制御温度、環境温度、及び熱抵抗値に基づいて、燃料電池スタックの許容発熱量を設定し、且つ処理器は、現在の発熱量、許容発熱量、動作温度、及び制御温度に基づいて現在の発熱量を調整する。
【００１３】
本発明の一実施例では、燃料電池システムは、更に、転換器を含み、この転換器は、燃料電池スタック及び処理器に電気接続され、燃料電池スタックの出力電圧又は出力電流を転換し、負荷電圧を生成及び出力するために用いられる。
【００１４】
本発明の一実施例では、上述の環境温度はＴａであり、動作温度はＴｓであり、現在の発熱量はＥｇｅｎであり、熱抵抗値はＲであるとすると、Ｒは、
（外１）
2012160442.tif 000003
に等しく、許容発熱量は、
（外２）
2012160442.tif 000004
に等しい。
【００１５】
本発明の一実施例では、現在の発熱量を上げる又は下げるときに、処理器は、出力電圧又は出力電流を調整することにより、現在の発熱量を調整する。
【００１６】
本発明の一実施例では、上述の燃料電池スタックは、プロトン交換膜燃料電池（Ｐｒｏｔｏｎ  Ｅｘｃｈａｎｇｅ  Ｍｅｍｂｒａｎｅ  Ｆｕｅｌ  Ｃｅｌｌ：ＰＥＭＦＣ）スタックである。
【００１７】
本発明の上述の実施例では、燃料電池システムの処理器は、環境温度と燃料電池スタックの温度との差に基づいて、燃料電池スタックの許容発熱量を適応に設定し、これにより、放熱用装置のない状況でも、依然として温度を制御することができると同時に、温度が過剰に上下振動するのを避けることもできる。
【発明の効果】
【００１８】
本発明の実施例によれば、環境温度、燃料電池スタックの制御温度、及び燃料電池スタックの熱抵抗値に基づいて燃料電池スタックの許容発熱量を設定できる燃料電池システム及びその制御方法を提供することができる。
【図面の簡単な説明】
【００１９】
【図１】燃料電池スタックが異なる動作温度での電池電圧及び電流密度の関係図である。
【図２】従来の燃料電池システムが温度制御を行うときのフローチャートである。
【図３】本発明の一実施例による燃料電池システムのブロック図である。
【図４】本発明の一実施例による燃料電池システムを制御するフローチャートである。
【図５Ａ】本発明の一実施例による燃料電池システムが起動した後にその燃料電池スタックの動作温度及び熱抵抗値と時間との関係図である。
【図５Ｂ】本発明の一実施例による燃料電池システムが起動した後にその燃料電池スタックの許容発熱量及び現在の発熱量と時間との関係図である。
【図６】本発明の一実施例による燃料電池システムに対して実際にテストを行った後に得た動作温度、許容発熱量、及び現在の発熱量と時間との関係図である。
【発明を実施するための形態】
【００２０】
以下、添付した図面を参照しながら、本発明の好適な実施例を詳細に説明する。
【００２１】
なお、次の各実施例の説明は、添付した図面を参照して行われたものであり、本発明の実施可能な特定の実施例を例示するために用いられる。また、次の各実施例に言及した方向の用語、例えば、上、下、前、後、左、右などは、添付した図面の方向を参考するためのもののみである。よって、以下に使用された方向の用語は、説明のために用いられ、本発明を限定するためのものでない。
【００２２】
図３は、本発明の一実施例による燃料電池システムのブロック図である。図３を参照する。燃料電池システム３００は、燃料電池スタック３１０、第一温度センサ３２０、第二温度センサ３３０、電圧電流検出ユニット３４０、処理器３５０、及び転換器３６０を含む。燃料電池スタック３１０は、化学反応を行って電気エネルギーを出力するために用いられる。本発明の一実施例では、燃料電池システム３００は、プロトン交換膜燃料電池（Ｐｒｏｔｏｎ  Ｅｘｃｈａｎｇｅ  Ｍｅｍｂｒａｎｅ  Ｆｕｅｌ  Ｃｅｌｌ：ＰＥＭＦＣ）である。本発明の他の実施例では、燃料電池システム３００は、直接メタノール燃料電池（Ｄｉｒｅｃｔ  Ｍｅｔｈａｎｏｌ  Ｆｕｅｌ  Ｃｅｌｌ：ＤＭＦＣ）である。そのうち、プロトン交換膜燃料電池であれ、直接メタノール燃料電池であれ、両者は、ともに、プロントン交換膜を使用してプロントン伝導を行うメカニズムの低温作動型燃料電池である。この種類のプロトン交換膜燃料電池の操作原理は、水素が陽極触媒層で酸化反応を行い、水素イオン（Ｈ＋）及び電子（ｅ−）を生成すること（ＰＥＭＦＣ原理）であり、又は、メチルアルコールと水とが陽極触媒層で酸化反応を行い、水素イオン（Ｈ＋）、二酸化炭素（ＣＯ２）、及び電子（ｅ−）を生成すること（ＤＭＦＣ原理）である。そのうち、水素イオンは、プロトン交換膜を経由して陰極に伝達されることができ、電子は、外部電路を経由して負荷に出力されてから陰極に伝達され、このときは、陰極端に供給する酸素が、陰極触媒層で水素イオン及び電子と還元反応を行い、水を生成することができる。
【００２３】
第一温度センサ３２０は、燃料電池スタック３１０の動作温度Ｔｓを検出するために用いられる。実際の検出を行うときに、第一温度センサ３２０を利用して、接触又は赤外線又は他の方式で、燃料電池スタック３１０の表面温度を取得し、この表面温度は、本実施例における動作温度Ｔｓである。第二温度センサ３３０は、燃料電池システム３００の環境温度Ｔａを検出するために用いられる。電圧電流検出ユニット３４０は、燃料電池スタック３１０の出力電圧Ｖｓ及び出力電流Ｉｓを検出するために用いられる。電圧電流検出ユニット３４０は、オームメータ、アンペアメータの組合せ又は三機能電気メータなどの、電圧及び電流を検出できる機能を有する装置である。処理器３５０は、第一温度センサ３２０、第二温度センサ３３０、及び電圧電流検出ユニット３４０に電気接続され、第一温度センサ３２０、第二温度センサ３３０、及び電圧電流検出ユニット３４０により検出された信号を受信する。処理器３５０は、電圧電流検出ユニット３４０が検出した燃料電池スタック３１０の出力電圧Ｖｓ及び出力電流Ｉｓに基づいて、燃料電池スタック３１０の現在の発熱量Ｅｇｅｎを計算し、そのうち、
（外３）
2012160442.tif 000005
である。
【００２４】
また、処理器３５０は、第一温度センサ３２０、第二温度センサ３３０が検出した作動温度Ｔｓ、環境温度Ｔａ、及び現在の発熱量Ｅｇｅｎに基づいて、燃料電池スタック３１０の熱抵抗値Ｒを計算する。本発明の一実施例では、上述の熱抵抗値Ｒは、
（外４）
2012160442.tif 000006
に等しく、そのうち、熱抵抗値Ｒは、現在の発熱量Ｅｇｅｎの逆数と正比例し、また出力電圧Ｖｓ及び出力電流Ｉｓと反比例する。なお、上述の熱抵抗値Ｒの計算方法は、これに限定されない。
【００２５】
また、処理器３５０は、更に、所定（予め設定された）の制御温度Ｔｃ、環境温度Ｔａ、及び熱抵抗値Ｒに基づいて、燃料電池スタック３１０の許容発熱量Ｅａｌｌｏｗを設定することができる。そのうち、制御温度Ｔｃの大小は、デフォルト値であり、それは、異なる燃料電池システム（燃料電池スタック）によって異なる設定を有し、本実施例では、制御温度Ｔｃは、燃料電池スタック３１０の所定の最高許容温度値である。詳しく言えば、本発明の実施例による方法により制御される燃料電池システム３００では、燃料電池スタック３１０の動作温度Ｔｓが正常の状況で大部分の時間内で制御温度Ｔｓを超えることができない。また、本発明の一実施例では、上述の許容発熱量Ｅａｌｌｏｗは、
（外５）
2012160442.tif 000007
に等しい。なお、上述の許容発熱量の計算は、これに限定されない。
【００２６】
転換器３６０は、燃料電池スタック３１０及び処理器３５０に電気接続され、燃料電池スタック３１０の出力電圧及び出力電流を転換するために用いられる。これに基づいて負荷電圧が生成及び出力され、電力が負荷３８０に供給される。
【００２７】
本実施例では、現在の発熱量Ｅｇｅｎが許容発熱量Ｅａｌｌｏｗよりも小さく、且つ動作温度Ｔｓが制御温度Ｔｃよりも小さいときに、処理器３５０は、転換器３６０の操作を制御することにより、現在の発熱量Ｅｇｅｎを上げる。一方、現在の発熱量Ｅｇｅｎが許容発熱量Ｅａｌｌｏｗよりも大きい、又は動作温度Ｔｓが制御温度Ｔｃよりも大きいときに、処理器３５０は、転換器３６０を制御して現在の発熱量Ｅｇｅｎを下げる。
【００２８】
本発明の一実施例では、処理器３５０は、燃料電池システム３００の動作点を調整することにより、現在の発熱量Ｅｇｅｎを上げる又は下げる。詳しく言えば、燃料電池システム３００が作動しているときに、その作動曲線が図１に示すようであり、処理器３５０は、転換器３６０の出力電圧又は出力電流を調整することにより、燃料電池システム３００の作動点の、上述の動作曲線上の位置を変更する。
【００２９】
図４は、本発明の一実施例による燃料電池システムを制御するフローチャートである。図４を参照する。ステップＳ４００では、燃料電池システム３００の特性に基づいて、燃料電池スタック３１０の制御温度Ｔｃの大小を設定する。ステップＳ４１０では、第一温度センサ３２０により燃料電池スタック３１０の動作温度Ｔｓを検出し、及び第二温度センサ３３０により環境温度Ｔａを検出する。ステップＳ４２０では、処理器３０５は燃料電池スタック３１０の出力電圧Ｖｓ及び出力電流Ｉｓに基づいて燃料電池スタック３１０の現在の発熱量Ｅｇｅｎを計算する。ステップＳ４３０では、処理器３５０は環境温度Ｔａ、動作温度Ｔｓ、及び現在の発熱量Ｅｇｅｎに基づいて、燃料電池スタック３１０の熱抵抗値Ｒを計算する。ステップＳ４４０では、処理器３５０は、制御温度Ｔｃ、環境温度Ｔａ、及び熱抵抗値Ｒに基づいて、燃料電池スタック３１０の許容発熱量Ｅａｌｌｏｗを設定する。ステップＳ４５０では、処理器３５０は、現在の発熱量Ｅｇｅｎが許容発熱量Ｅａｌｌｏｗよりも小さく、且つ動作温度Ｔｓが制御温度Ｔｃよりも小さいかを判断する。現在の発熱量Ｅｇｅｎが許容発熱量Ｅａｌｌｏｗよりも大きい、又は動作温度Ｔｓが制御温度Ｔｃよりも大きいと判断すれば、現在の発熱量Ｅｇｅｎを下げる（ステップＳ４６０）。現在の発熱量Ｅｇｅｎが許容発熱量Ｅａｌｌｏｗよりも小さく、且つ動作温度Ｔｓが制御温度Ｔｃよりも小さいと判断すれば、現在の発熱量Ｅｇｅｎを上げる（ステップＳ４７０）。なお、本発明の一実施例では、燃料電池システム３００は、所定の時間間隔（例えば、１０秒）ごとに、上述の操作（ステップＳ４１０〜Ｓ４７０）を繰り返して行うことができる。
【００３０】
図５Ａは、本発明の一実施例による燃料電池システム３００が起動した後にその燃料電池スタック３１０の動作温度Ｔｓ及び熱抵抗値Ｒと時間との関係図である。図５Ｂは、本発明の一実施例による燃料電池システム３００が起動した後にその燃料電池スタック３１０の許容発熱量Ｅａｌｌｏｗ及び現在の発熱量Ｅｇｅｎと時間との関係図である。図５Ａ及び図５Ｂを参照する。燃料電池システム３００が起動した後に、燃料電池スタック３１０の動作温度Ｔｓは、環境温度Ｔａから制御温度Ｔｃまで徐々に上昇することができる。そのうち、動作温度Ｔｓが上昇する前に、熱抵抗値Ｒが比較的小さいので、許容発熱量Ｅａｌｌｏｗが比較的大きい。その後、操作温度Ｔｓの上昇につれて、熱抵抗値Ｒも上昇し、これにより、許容発熱量Ｅａｌｌｏｗがそれにつれて降下する。最後に、現在の発熱量Ｅｇｅｎが許容発熱量Ｅａｌｌｏｗに等しくなり、且つ動作温度Ｔｓは制御温度Ｔｃに等しくなり、これにより、システムの熱バランス状態を達成することができる。
【００３１】
図６は、本発明の一実施例による燃料電池システム３００に対して実際にテストを行った後に得た動作温度Ｔｓ、許容発熱量Ｅａｌｌｏｗ、及び現在の発熱量Ｅｇｅｎと時間との関係図である。そのうち、テスト条件は、環境温度が２７±１℃であり、制御温度Ｔｃが５３℃であり、且つ外部駆動力としての放熱用装置（例えばファン）のない自然対流の状況で行ったテストである。図６に示すテストデータによれば、制御温度５３℃に達する前に、許容発熱量Ｅａｌｌｏｗが発散の状況にある。即ち、燃料電池スタックの動作温度Ｔｓが次第に上昇した後に、許容発熱量Ｅａｌｌｏｗも次第に降下し、また現在の発熱量Ｅｇｅｎに接近する。時点ＴＢの後に、動作温度Ｔｓが制御温度５３℃に安定している。この結果によれば、本発明の上述の各実施例により、燃料電池の温度を安定な状態に制御することができる、
以上述べたところを総合すれば、本発明の上述の実施例では、燃料電池システムの処理器は、環境温度と燃料電池スタックの動作温度との差に基づいて、燃料電池スタックの許容発熱量を適切に設定し、これにより、放熱装置のない状況でも、依然として温度を有効且つ安全に制御することができる。
【００３２】
本発明は、上述した好適な実施例に基づいて以上のように開示されたが、上述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、文献の検索を助けるためのみのものであり、本発明の権利範囲を限定するものでない。
【符号の説明】
【００３３】
３００  燃料電池システム
３１０  燃料電池スタック
３２０  第一温度センサ
３３０  第二温度センサ
３４０  電圧電流検出ユニット
３５０  処理器
３６０  転換器
３８０  負荷
【図１】
2012160442.tif 000012
【図２】
2012160442.tif 000013
【図３】
2012160442.tif 000014
【図４】
2012160442.tif 000015
【図５Ａ】
2012160442.tif 000016
【図５Ｂ】
2012160442.tif 000017
【図６】
2012160442.tif 000018